(57)【特許請求の範囲】
【請求項１】
加熱調理装置前面に設けられ，その上面が加熱調理装置前後方向の垂直断面方向に見て加熱調理装置前方に向かって下向きに傾斜湾曲してなり，その略中央部に正面から見て略矩形状のキー操作部が凹設されてなり，該キー操作部の底面にキーシートが貼り付けられてなる加熱調理装置用操作部の構造において，
上記操作部の外表面における上記湾曲面の曲率半径Ｒａより，上記キー操作部底面の上記操作部外表面と同じ方向の曲率半径Ｒｂが大きく設定され，且つ上記キー操作部の中央部の深さＤ１より加熱調理装置前端部及び後端部の深さＤ２及びＤ３が大きく設定されてなることを特徴とする加熱調理装置用操作部の構造。
【請求項２】
上記操作部上面の上記キー操作部近傍の曲率半径Ｒｃが，上記ＲａとＲｂの間の値に設定されてなる請求項１記載の加熱調理装置用操作部の構造。
【発明の詳細な説明】
【０００１】
【発明の属する技術分野】
本発明は，電子レンジ，電子オーブンなどの加熱調理装置の改良に係り，特に操作部の寿命の長期化を図った加熱調理装置に関するものである。
【０００２】
【従来の技術】
従来の加熱調理装置は，一般的に，食品を収納して加熱する加熱室と，該加熱室の前面開口に取り付けられる扉と，上記加熱室内に収納された食品を加熱する加熱装置と，加熱室内を冷却する冷却装置と，上記加熱室内に置かれて上記食品を載置するターンテーブルと，該ターンテーブルを回転駆動するターンテーブル駆動装置と，少なくとも調理に関する種々の指令を与えるための操作部と，上記操作部からの指令に基づいて上記加熱装置，冷却装置及びターンテーブル駆動装置を制御する制御装置とを具備して構成されている。
図３は，このような加熱調理装置の一例であり，加熱調理装置１の前面に，その上面２が矢印Ｙで示す加熱調理装置前後方向の垂直断面方向に見て（図４にこの方向から見た断面を示す）前方に向かって下向きに傾斜湾曲してなる操作部３を具備している。このような操作部３では，その操作性を高めるために，操作部の略中央部に正面から見て略矩形状のキー操作部４を具備し，該キー操作部４にキーシート５が両面テープなどの接着部材６によって貼り付けられている。
【０００３】
【発明が解決しようとする課題】
このようなキー操作部４を持つ操作部３の場合，上記のようにキー操作部４が下方に向けて凹状に湾曲しているので，両面テープなどの接着部材６の接着性に問題がある。即ち，従来のキー操作部４では，接着部材６を貼る底面４ａ（図４）の曲率半径Ｒｂと，操作部３の上面２の曲率半径Ｒａとはキー操作部４の厚さの分が異なるだけで，図４に示すように同心の関係にあり，上記のようにキー操作部４が凹面状に湾曲しているために，経時的に接着部材６による貼り付け状態が悪化した時，貼り付け部の中央部分から剥がれることが多い現象がある。
またキーシートが経時変化により剥がれる場合，上記のように中央部から剥がれる場合の他，シートの端部は必然的に剥がれ易く，加熱調理装置前端部２０ａ或いは後端部２０ｂから剥がれることがある。これは，キーシートの端部が経時変化により多少浮いた場合にでも，操作する人の手が引っかかるといった可能性が他の部位より高いためと考えられる。このような人の手に引っかかることによるキーシートの剥がれを防止するためには，キー操作部のキーシートの端部が貼られた部分の深さを深くすることが効果的である。
本発明は上記したような従来の加熱調理装置用操作部における欠点の解消を目的とするものである。
【０００４】
【課題を解決するための手段】
上記目的を達成するために本発明は，
加熱調理装置前面に設けられ，その上面が加熱調理装置前後方向の垂直断面方向に見て加熱調理装置前方に向かって下向きに傾斜湾曲してなり，その略中央部に正面から見て略矩形状のキー操作部が凹設されてなり，該キー操作部の底面にキーシートが貼り付けられてなる加熱調理装置用操作部の構造において，
上記操作部の外表面における上記湾曲面の曲率半径Ｒａより，上記キー操作部底面の上記操作部外表面と同じ方向の曲率半径Ｒｂが大きく設定され，且つ上記キー操作部の中央部の深さＤ１より加熱調理装置前端部及び後端部の深さＤ２及びＤ３が大きく設定されてなることを特徴とする加熱調理装置用操作部の構造である。
このように構成することにより，キー操作部中央及び前後端部においてキーシートが剥がれ易いといった従来の欠点が克服される。またキー操作部の角が明確になるので，キーシートの貼り付け作業が容易となり，コストダウンが達成され，更にキーシートがきれいに貼られるという効果も達成される。
また，上記操作部上面の上記キー操作部近傍の曲率半径Ｒｃを，上記ＲａとＲｂの間の値に設定することで，人の手などがキー操作部の角部に引っかかるといった問題が解消されると共に，操作部の上面の美観も向上する。
【０００５】
【発明の実施形態】
続いて添付図面を参照して，本発明を具体化した実施の形態について説明し，本発明の理解に供する。
ここに図１は本実施の一形態にかかる加熱調理装置用操作部の斜視図，図２はその一部断面を含む斜視図である。
図１に示すように，この実施形態にかかる加熱調理装置１０は，全体として図３に示した従来の加熱調理装置と同様の構造をなし，前面に，その上面２が矢印Ｙで示す加熱調理装置前後方向の垂直断面方向に見て前方に向かって下向きに傾斜湾曲してなる操作部３を具備している。上記操作部３の略中央部には正面から見て略矩形状のキー操作部４が凹設されており，該キー操作部４にキーシート５が両面テープなどの接着部材６によって貼り付けられている。
【０００６】
図２は上記操作部３のキー操作部４を装置前後方向に切った断面で見たものであるが，図に明らかなように，上記操作部３の外表面における上記湾曲面の曲率半径をＲａとすると，上記キー操作部４の底面４ａの上記操作部外表面と同じ方向の曲率半径Ｒｂが上記Ｒａより大きく設定されている。また，上記キー操作部４の中央部の深さＤ１より，加熱調理装置前端部の深さＤ２及び後端部の深さＤ３の方が大きく設定されている。
これは前記のように上記操作部３の外表面における上記湾曲面の曲率半径Ｒａより上記キー操作部４の底面４ａの上記操作部外表面と同じ方向の曲率半径Ｒｂが大きいことと，両曲率中心が，図２に示す従来の操作部のように，同心に形成されていないことからの結果である。
【０００７】
この実施形態にかかる操作部の構造では，上記のように上記キー操作部４の中央部の深さＤ１より，加熱調理装置前端部の深さＤ２及び後端部の深さＤ３の方が大きくなるように上記曲率半径Ｒａ，Ｒｂが設定されていると共にその曲率中心の位置が調整されているので，キーシート５を貼り付けるキー操作部４の底面４ａの曲率半径が大きく設定され，キー操作部４の中央部でのキーシート５の剥がれが少なくなる。また，上記のように深さＤ１より，Ｄ２，Ｄ３の深さが大きいので，経時変化によりキーシート５の前後の端部が膨らんでも，人がこれに引っかかると行った可能性が少なくなり，前後端部からのキーシート５の剥がれも防止される。
また上記のように前後端部での底面４ａの深さが深くなることにより，キー操作部４へのキーシート５の貼り付け時に，貼り付けの基準となるキー操作部の角部が明確となり，キーシートの貼り付け作業が楽になることも効果としてあげられる。
【０００８】
また，この実施形態では，操作部３の上面であってキー操作部４の近傍部分４ｂの曲率半径Ｒｃが前記キー操作部４の底面４ａの曲率半径Ｒｂより小さく，且つ操作部３の上面の曲率半径Ｒａより大きく設定されているので，上記操作部上面と近傍部４ｂとが滑らかにつながり，操作者の手が角部に引っかかったりする問題も生じることがなく，また美的な構成を提供することができる。
【０００９】
【発明の効果】
本発明にかかる加熱調理装置用操作部の構造は，
上記目的を達成するために本発明は，
加熱調理装置前面に設けられ，その上面が加熱調理装置前後方向の垂直断面方向に見て加熱調理装置前方に向かって下向きに傾斜湾曲してなり，その略中央部に正面から見て略矩形状のキー操作部が凹設されてなり，該キー操作部の底面にキーシートが貼り付けられてなる加熱調理装置用操作部の構造において，
上記操作部の外表面における上記湾曲面の曲率半径Ｒａより，上記キー操作部底面の上記操作部外表面と同じ方向の曲率半径Ｒｂが大きく設定され，且つ上記キー操作部の中央部の深さＤ１より加熱調理装置前端部及び後端部の深さＤ２及びＤ３が大きく設定されてなることを特徴とする加熱調理装置用操作部の構造である。
このように構成することにより，キー操作部中央及び前後端部においてキーシートが剥がれ易いといった従来の欠点が克服される。またキー操作部の角が明確になるので，キーシートの貼り付け作業が容易となり，コストダウンが達成され，更にキーシートがきれいに貼られるという効果も達成される。
また，上記操作部上面の上記キー操作部近傍の曲率半径Ｒｃを，上記ＲａとＲｂの間の値に設定することで，人の手などがキー操作部の角部に引っかかるといった問題が解消されると共に，滑らかなＲの連続的変化により操作部の上面の美観も向上する。
【図面の簡単な説明】
【図１】  本発明の一実施形態にかかる加熱調理装置用操作部の斜視図。
【図２】  図１に示した操作部の一部断面を含む斜視図。
【図３】  従来技術にかかる加熱調理装置用操作部の斜視図。
【図４】  図３に示した操作部の一部断面を含む斜視図。
【符号の説明】
Ｒａ…操作部外表面における湾曲面の曲率半径
Ｒｂ…操作部底面における湾曲面の曲率半径
Ｒｃ…操作部上面におけるキー操作部近傍の曲率半径
Ｄ１…キー操作部の中央の深さ
Ｄ２，Ｄ３…キー操作部の前端部及び後端部の深さ
１０…加熱調理装置
２…上面
３…操作部
４…キー操作部
５…キーシート
６…接着剤
４ａ…キー操作部底面
【図１】
0003715217.tif 000002
【図２】
0003715217.tif 000003
【図３】
0003715217.tif 000004
【図４】
0003715217.tif 000005